【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
モバイル装置であって、
少なくとも１つのダイバーシティアンテナと、
少なくとも１つのダイバーシティアンテナに電気的に結合されたダイバーシティモジュールとを含み、ダイバーシティモジュールは、少なくとも１つのダイバーシティアンテナから受信された１つ以上のダイバーシティ信号を処理することに基づいて、高帯域信号、中帯域信号、および低帯域信号を生成するように構成されており、高帯域信号は、中帯域信号の周波数成分よりも大きい周波数成分を有し、中帯域信号は、低帯域信号の周波数成分よりも大きい周波数成分を有し、ダイバーシティモジュールはさらに、低帯域信号と高帯域信号とを組合せることに基づいて、組合せ低帯域／高帯域信号を生成するように構成されており、前記モバイル装置はさらに、
ダイバーシティモジュールから中帯域信号および組合せ低帯域／高帯域信号を受信するように構成されたアンテナスイッチモジュールを含む、モバイル装置。
【請求項２】
低帯域信号の周波数成分は１ＧＨｚ未満であり、中帯域信号の周波数成分は１ＧＨｚ〜２．３ＧＨｚであり、高帯域信号の周波数成分は２．３ＧＨｚよりも大きい、請求項１に記載のモバイル装置。
【請求項３】
送受信機と、１つ以上の一次アンテナとをさらに含み、送受信機は、アンテナスイッチモジュールを介して１つ以上の一次アンテナに電気的に結合されている、請求項１に記載のモバイル装置。
【請求項４】
ダイバーシティモジュールは、低帯域信号および高帯域信号に基づいて組合せ低帯域／高帯域信号を生成するように構成されたダイプレクサを含む、請求項１に記載のモバイル装置。
【請求項５】
ダイバーシティモジュールは、低帯域信号を生成するように構成された低帯域処理回路と、中帯域信号を生成するように構成された中帯域処理回路と、高帯域信号を生成するように構成された高帯域処理回路とを含む、請求項１に記載のモバイル装置。
【請求項６】
低帯域処理回路は、カスケードに配置された第１のフィルタと第１の低雑音増幅器とを含み、中帯域処理回路は、カスケードに配置された第２のフィルタと第２の低雑音増幅器とを含み、高帯域処理回路は、カスケードに配置された第３のフィルタと第３の低雑音増幅器とを含む、請求項５に記載のモバイル装置。
【請求項７】
組合せ中帯域／高帯域ダイバーシティ信号を受信するように構成されたダイバーシティアンテナ端子と、
ダイバーシティアンテナ端子に電気的に結合された入力、中帯域処理回路の入力に電気的に結合された第１の出力、および高帯域処理回路の入力に電気的に結合された第２の出力を含む、帯域選択スイッチとをさらに含む、請求項５に記載のモバイル装置。
【請求項８】
モバイル装置におけるフロントエンド信号処理の方法であって、前記方法は、
少なくとも１つのダイバーシティアンテナから、１つ以上のダイバーシティ信号を受信するステップと、
ダイバーシティモジュールを使用して１つ以上のダイバーシティ信号を処理することに基づいて、高帯域信号、中帯域信号、および低帯域信号を生成するステップとを含み、高帯域信号は、中帯域信号の周波数成分よりも大きい周波数成分を有し、中帯域信号は、低帯域信号の周波数成分よりも大きい周波数成分を有し、前記方法はさらに、
ダイバーシティモジュールを使用して低帯域信号と高帯域信号とを組合せることに基づいて、組合せ低帯域／高帯域信号を生成するステップと、
第１の信号ルートを通して、中帯域信号をアンテナスイッチモジュールに提供するステップと、
第２の信号ルートを通して、組合せ低帯域／高帯域信号をアンテナスイッチモジュールに提供するステップとを含む、方法。
【請求項９】
低帯域信号の周波数成分は１ＧＨｚ未満であり、中帯域信号の周波数成分は１ＧＨｚ〜２．３ＧＨｚであり、高帯域信号の周波数成分は２．３ＧＨｚよりも大きい、請求項８に記載の方法。
【請求項１０】
少なくとも１つの一次アンテナから１つ以上の一次信号を受信するステップと、１つ以上の一次信号をアンテナスイッチモジュールに提供するステップとをさらに含む、請求項８に記載の方法。
【請求項１１】
組合せ低帯域／高帯域信号を生成するステップは、ダイプレクサを使用して低帯域信号と高帯域信号とを組合せるステップを含む、請求項８に記載の方法。
【請求項１２】
無線周波数システムであって、
１つ以上のダイバーシティアンテナ端子から受信した１つ以上のダイバーシティ信号を処理することに基づいて、高帯域信号、中帯域信号、および低帯域信号を生成するように構成されたダイバーシティモジュールを含み、高帯域信号は、中帯域信号の周波数成分よりも大きい周波数成分を有し、中帯域信号は、低帯域信号の周波数成分よりも大きい周波数成分を有し、前記ダイバーシティモジュールはさらに、低帯域信号と高帯域信号とを組合せることに基づいて、組合せ低帯域／高帯域信号を生成するように構成され、
前記無線周波数システムはさらに、ダイバーシティモジュールから中帯域信号および組合せ低帯域／高帯域信号を受信するように構成されたアンテナスイッチモジュールを含む、無線周波数システム。
【請求項１３】
低帯域信号の周波数成分は１ＧＨｚ未満であり、中帯域信号の周波数成分は１ＧＨｚ〜２．３ＧＨｚであり、高帯域信号の周波数成分は２．３ＧＨｚよりも大きい、請求項１２に記載の無線周波数システム。
【請求項１４】
送受信機と、１つ以上の一次アンテナとをさらに含み、送受信機は、アンテナスイッチモジュールを介して１つ以上の一次アンテナに電気的に結合されている、請求項１２に記載の無線周波数システム。
【請求項１５】
ダイバーシティモジュールは、低帯域信号と高帯域信号とに基づいて、組合せ低帯域／高帯域信号を生成するように構成されたダイプレクサをさらに含む、請求項１２に記載の無線周波数システム。
【請求項１６】
ダイバーシティモジュールは、低帯域信号を生成するように構成された低帯域処理回路と、中帯域信号を生成するように構成された中帯域処理回路と、高帯域信号を生成するように構成された高帯域処理回路とを含む、請求項１２に記載の無線周波数システム。
【請求項１７】
低帯域処理回路は、カスケードに配置された第１のフィルタと第１の低雑音増幅器とを含み、中帯域処理回路は、カスケードに配置された第２のフィルタと第２の低雑音増幅器とを含み、高帯域処理回路は、カスケードに配置された第３のフィルタと第３の低雑音増幅器とを含む、請求項１６に記載の無線周波数システム。
【請求項１８】
１つ以上のダイバーシティアンテナ端子は、低帯域処理回路の入力に電気的に結合された第１のダイバーシティアンテナ端子をさらに含む、請求項１６に記載の無線周波数システム。
【請求項１９】
１つ以上のダイバーシティアンテナ端子は、第２のダイバーシティアンテナ端子をさらに含み、ダイバーシティモジュールは、第２のダイバーシティアンテナ端子に電気的に結合された入力、中帯域処理回路の入力に電気的に結合された第１の出力、および高帯域処理回路の入力に電気的に結合された第２の出力を含む、帯域選択スイッチをさらに含む、請求項１８に記載の無線周波数システム。
【手続補正２】
【補正対象書類名】明細書
【補正対象項目名】００３９
【補正方法】変更
【補正の内容】
【００３９】
さまざまな実施例では、この方法はさらに、通常動作モードとスワップモードとを含む複数の動作モードのうちの１つでダイバーシティモジュールを動作させるステップと、ダイバーシティモジュールが通常動作モードにある場合、第１の送受信機側多投スイッチを使用してＬＢ信号またはＨＢ信号を選択するステップと、ダイバーシティモジュールが通常動作モードにある場合、第２の送受信機側多投スイッチを使用してＭＢ信号を選択するステップとを含む。
【手続補正３】
【補正対象書類名】明細書
【補正対象項目名】００７７
【補正方法】変更
【補正の内容】
【００７７】
図２に示すように、帯域選択スイッチ３３は、組合せＭＢ／ＨＢダイバーシティアンテナ３２に電気的に結合された入力と、ＨＢ処理回路３６の入力に電気的に結合された第１の出力と、ＭＢ処理回路３５の入力に電気的に結合された第２の出力とを含む。加えて、帯域選択スイッチ３３は、複数の状態のうちの１つに設定可能である。たとえば、帯域選択スイッチ３３は、帯域選択スイッチ３３が組合せＭＢ／ＨＢダイバーシティアンテナ３２からの受信信号をＭＢ処理回路３５に提供できるものの、ＨＢ処理回路３６には提供できない第１の状態に設定可能である。加えて、帯域選択スイッチ３３は、帯域選択スイッチ３３が組合せＭＢ／ＨＢダイバーシティアンテナ３２からの受信信号をＨＢ処理回路３６に提供できるものの、ＭＢ処理回路３５には提供できない第２の状態に設定可能である。さらに、帯域選択スイッチ３３は、帯域選択スイッチ３３が組合せＭＢ／ＨＢダイバーシティアンテナ３２からの受信信号をＭＢ処理回路３５およびＨＢ処理回路３６の双方に提供できる第３の状態に設定可能である。
【手続補正４】
【補正対象書類名】明細書
【補正対象項目名】００８６
【補正方法】変更
【補正の内容】
【００８６】
図３は、別の実施例に従ったＲＦシステム４５の概略ブロック図である。ＲＦシステム４５は、ダイバーシティモジュール５０と、ダイバーシティアンテナ５１と、ダイバーシティダイプレクサ５２とを含む。ダイバーシティダイプレクサ５２はダイバーシティアンテナ５１に電気的に結合されており、ＭＢ／ＨＢダイバーシティ受信信号とＬＢダイバーシティ受信信号とを生成するために使用される。図３に示すように、ＭＢ／ＨＢダイバーシティ受信信号は、ダイバーシティモジュール５０の第２のダイバーシティアンテナ端子ＡＮＴ２＿Ｄに提供され、ＬＢ受信信号は、ダイバーシティモジュール５０の第１のダイバーシティアンテナ端子ＡＮＴ１＿Ｄに提供される。
【手続補正５】
【補正対象書類名】明細書
【補正対象項目名】０１１８
【補正方法】変更
【補正の内容】
【０１１８】
相互変調歪みが低いダイバーシティモジュールの例
ダイバーシティモジュールのための装置および方法がここに提供される。ある構成では、ダイバーシティモジュールは、第１のアンテナ側多投スイッチと、第２のアンテナ側多投スイッチと、第１の送受信機側多投スイッチと、第２の送受信機側多投スイッチと、低帯域（ＬＢ）処理回路と、中帯域（ＭＢ）処理回路と、高帯域（ＨＢ）処理回路とを含む。ＬＢ処理回路は、第１のアンテナ側多投スイッチと第１の送受信機側多投スイッチとの間の第１の信号経路において電気的に結合されており、ＭＢ処理回路は、第２のアンテナ側多投スイッチと第２の送受信機側多投スイッチとの間の第２の信号経路において電気的に結合されており、ＨＢ処理回路は、第２のアンテナ側多投スイッチと第１の送受信機側多投スイッチとの間の第３の信号経路において電気的に結合されている。